Podtech/llm-jp-corpus-v4-ja_patent huggingface dataset:
(57)【要約】【課題】歯の動揺を抑制し，かつ深在性ウ蝕をはじめとする硬組織疾患の治療を可能にする装置とその使用方法を見出すこと。【解決手段】伸縮自在な歯内骨内インプラント用人工歯根を発明した。当該人工歯根は長さを自在に伸縮できる機構を持つことを特徴とする。当該人工歯根は患歯を貫通して先端の一部が顎骨内に埋入され，残る部分が当該歯と固定される。埋入された人工歯根を少しずつ定期的に伸ばすことによって生じる矯正力によって，当該歯を任意の期間で任意の長さだけ挺出することができる。【選択図】  図６
2004357830.tif 000002
【特許請求の範囲】
【請求項１】
長さを自在に伸縮できる機構を持った人工歯根。
【請求項２】
歯を貫通して顎骨内に埋入した後，人工歯根の長さを調節することにより，当該歯を任意の期間で任意の長さだけ顎骨から挺出することを特徴とする請求項第一項記載の人工歯根。
【請求項３】
長さを伸ばすことによって生じる人工歯根内部の空間に対して，レジン材料をはじめとする成形修復材料を注入し，硬化させることによって補強することを特徴とする請求項第一項記載の人工歯根。
【発明の詳細な説明】
【０００１】
【発明の属する技術分野】
この発明は歯科治療に用いる人工歯根に関するものである。
【０００２】
【従来の技術】
骨内インプラントは歯の欠損した部分の顎骨に人工歯根を挿入することにより，歯の代用をはたす治療法である。骨内インプラントでは人工歯根が口腔粘膜を貫通しており，人工歯根の一端は顎骨内に埋入され，他端は口腔内に露出している。人工歯根と顎骨の界面には天然歯に認められるような歯根膜は存在しない。
【０００３】
一方，病的な歯の動揺を抑制するための治療法のひとつとして，歯内骨内インプラントが提案されている。従来の歯内骨内インプラントでは，人工歯根が歯を貫通し，歯の内部を通って顎骨内へ埋入されている。（例えば，特許文献１ー８参照。）。そのため，歯内骨内インプラントでは人工歯根には粘膜貫通部が存在しない。また，天然歯の歯根膜は多くの部分が残されたままであるといった特徴がある。
【０００４】
歯内骨内インプラントによって歯の病的動揺を抑制できることは公知である。
【０００５】
従来の歯内骨内インプラントは，人工歯根自体が伸縮自在という本発明の意図した人工歯根とは異なる。
【０００６】
【特許文献１】
特開昭６２ー０７４３５６
【特許文献２】
特開昭５６ー０７５１４８
【特許文献３】
特開昭５５ー０４５４９１
【特許文献４】
特開昭５１ー１１３３９３
【特許文献５】
特開昭４９ー１１２４８５
【特許文献６】
特開昭４９ー１１２４８４
【特許文献７】
特開昭４８ー００７５９６
【特許文献８】
特公昭４６ー０２４８７４
【０００７】
歯がウ蝕をはじめとする硬組織疾患に罹患しており，しかもそれが深在性である場合，矯正によって患歯を顎骨から挺出し，患部を口腔内に露出させ，修復を可能にすることがある。本治療法は，歯根が短ければ短いほど，また歯を挺出させる量が多ければ多いほど，不本意な歯の動揺をきたしやすい。また矯正力の固定源となる患歯以外の歯が残存していることが前提となる。
【０００８】
【発明が解決しようとする課題】
従来抜歯の適応症と考えられてきた歯を可及的に抜かずに治療する技術が必要である。
【０００９】
歯の動揺を抑制し，かつ深在性ウ蝕や残根状態の歯の保存的治療を可能にする装置とその使用方法を見出すことが課題である。
【００１０】
【課題を解決するための手段】
本発明は，歯内骨内インプラントと矯正治療の両方の特質をいかすべくなされたものであり，伸縮自在な歯内骨内インプラント用人工歯根を発明した。
【００１１】
【発明の実施の形態】
以下発明した人工歯根を図面により具体的に説明するが，本発明はこれによって何ら限定されるものではない。
【００１２】
まず歯内骨内インプラントに準じて，人工歯根用の窩洞を歯の長軸に沿って顎骨内にまで貫通するように形成する。
【００１３】
本発明の純チタン製の人工歯根は短縮型（図１，図２，図３）の状態で埋入窩へ挿入され，人工歯根先端の骨内埋入部４は歯根から突き出し顎骨９内へ埋入される。人工歯根の歯内挿入部２と歯６の界面は接着性レジン材料を用いて一体化される。
【００１４】
本発明の人工歯根上部にあるスクリュー１を回すことによって人工歯根は延長型（図４，図５，図６）の状態へと変化する。
【００１５】
骨内埋入部４に固定されている突起３が歯内挿入部２の溝を滑走するため，スクリュー１を回転させても，骨内埋入部４が回転することはない。
【００１６】
顎骨９へ埋入した後，当該スクリュー１を少しずつ回転させることにより，適度な矯正力が発生し，歯６を任意の期間で任意の長さだけ挺出する。
【００１７】
長さを伸ばすことによって生じる人工歯根内部の空隙７に対しては，レジン材料をはじめとする成形修復材料をスクリューの穴５から注入し，硬化させることによって補強する。
【００１８】
人工歯根埋入前の患歯の臨床的歯根長や動揺の程度によって，人工歯根先端の顎骨内埋入部の長さを複数の製品の中から選択する。
【００１９】
患歯の直径や形態によって，人工歯根の太さや長さを複数の製品の中から選択する。
【００２０】
【発明の効果】
本発明は，骨内インプラントに比べ，顎骨に対する手術侵襲が小さい。
【００２１】
人工歯根と歯質の接着については，既存の歯科用接着システムをあますところなく利用することができる。
【００２２】
本発明の人工歯根を使用して歯が挺出しても，顎骨内に埋入されている人工歯根の位置は顎骨内深くなることはあっても，浅くなる方向へは矯正力は作用しない。
【００２３】
矯正力を利用して歯を挺出させるため，挺出中に疼痛を伴うことが少ない。
【００２４】
歯の挺出にともない歯根先端付近には骨組織が再生される。
【００２５】
歯の挺出完了後は，人工歯根を除去することなく，その位置でインプラントごと固定して支台築造できる。
【００２６】
歯冠の修復は従来の歯科治療法を適応することができる。
【００２７】
本発明の人工歯根は，装着した歯だけではなく，他の部位の天然歯の矯正治療のための固定源としても利用できる。
【００２８】
本発明の人工歯根を用いれば，天然歯の歯根膜８の多くの部分を残すことができるため，歯根膜に存在する感覚受容器も保存したまま歯の修復や補綴ができる。
【００２９】
本発明によれば，残根や深在性ウ蝕など従来保存不可能であった歯を抜歯することなく形態的，機能的に再建できる。
【００３０】
したがって抜歯の適応症が減り，患者さんに喜ばれる。
【００３１】
【図面の簡単な説明】
【図１】人工歯根短縮時正面観
【図２】人工歯根短縮時断面
【図３】人工歯根短縮時断面
【図４】人工歯根伸長時正面観
【図５】人工歯根伸長時断面
【図６】人工歯根伸長時断面
【００３２】
【符号の説明】
１  スクリュー
２  歯内挿入部
３  突起
４  骨内埋入部
５  穴
６  歯
７  空隙
８  歯根膜
９  顎骨
【図１】
2004357830.tif 000003
【図２】
2004357830.tif 000004
【図３】
2004357830.tif 000005
【図４】
2004357830.tif 000006
【図５】
2004357830.tif 000007
【図６】
2004357830.tif 000008
(57)【要約】【課題】トルク低下を生じることなく永久磁石を保持することができるアウターロータ型のロータを有する永久磁石同期モータを提供することを目的とする。【解決手段】ロータ１の内径側に円弧状の永久磁石４を挿入するアウターロータ形のロータ１であって、ロータ１の磁極間のロータコア２に爪５を有する突起３を有し、突起３間に永久磁石４を挿入、固定する永久磁石同期モータにおいて、前記突起３の幅Ｗ１と永久磁石４幅Ｗ２の比Ｗ１／Ｗ２が０．０３＜Ｗ１／Ｗ２＜０．２の範囲であることを特徴とする永久磁石同期モータ【選択図】  図１
2004357470.tif 000002
【特許請求の範囲】
【請求項１】
ロータの内径側に弓形円弧状の永久磁石を挿入するアウターロータ形のロータであって、ロータの磁極間のコアに爪を有する突起を有し、前記突起間に永久磁石を挿入、固定する永久磁石同期モータにおいて、前記突起の幅Ｗ１と磁石幅Ｗ２の比Ｗ１／Ｗ２が０．０３＜Ｗ１／Ｗ２＜０．２の範囲であることを特徴とする永久磁石同期モータ。
【発明の詳細な説明】
【０００１】
【発明の属する技術分野】
本発明は、アウターロータ形永久磁石同期モータに係るものである。
【０００２】
【従来の技術】
永久磁石同期モータにおいて、ロータコアに永久磁石を固定する方法は種々提案されており、その一つとして、ロータの磁極間のコアに爪を有する突起を設け、前記突起間に永久磁石を挿入するものがあった（例えば、特許文献１参照。）。
【０００３】
【特許文献１】
特開平１０−１９１５８６号公報
【０００４】
【発明が解決しようとする課題】
しかし、上記従来の構成では、ロータ磁極間に突起を設け永久磁石を固定する構造では、磁極間の突起幅が必要であるため、それに相当する分永久磁石の幅が小さくなり、磁石量が減ることとなる。その結果、必要とするトルクに達しなくなるという課題があった。
【０００５】
本発明は、トルク低下を生じることなく永久磁石を保持することができるアウターロータ型のロータを有する永久磁石同期モータを提供することを目的とする。
【０００６】
【課題を解決するための手段】
本発明は上記従来の課題に鑑みなされたものであり、ロータの内径側に円弧状の弓形磁石を挿入するアウターロータ形のロータであって、ロータの磁極間のコアに爪を有する突起を有し、前記突起間に永久磁石を挿入、固定する永久磁石同期モータにおいて、前記突起の幅Ｗ１と磁石幅Ｗ２の比Ｗ１／Ｗ２が０．０３＜Ｗ１／Ｗ２＜０．２の範囲としたものである。これにより、高トルクの永久磁石同期モータと永久磁石の機械的保持を両立することができる。
【０００７】
【発明の実施の形態】
本願の請求項１に係る発明は、ロータの内径側に円弧状の永久磁石を挿入するアウターロータ形のロータであって、ロータの磁極間のコアに爪を有する突起を有し、前記突起間に永久磁石を挿入、固定する永久磁石同期モータにおいて、前記突起の幅Ｗ１と前記永久磁石幅Ｗ２の比Ｗ１／Ｗ２が０．０３＜Ｗ１／Ｗ２＜０．２の範囲であることを特徴とする永久磁石同期モータであり、トルクの低下を生じることなく、永久磁石を保持することができる。
【０００８】
【実施例】
以下、本発明の具体例について図面を参照して説明する。
【０００９】
図１は、本発明の具体例を示すものであって、アウターロータ型のロータを示すものである。
【００１０】
ロータ１はロータコア２の内径側に極数分の突起３を設け、突起３間には永久磁石４が挿入、固定されている。なお、図においてはその描画を省略しているものの、永久磁石４に対向してステータが配置され、永久磁石同期モータが構成されている。
【００１１】
図２は当該ロータの要部拡大図であり、突起３の幅Ｗ１は永久磁石４の幅Ｗ２との関係において、０．０３＜Ｗ１／Ｗ２＜０．２となるようにしてある。
【００１２】
また、突起３の先端には永久磁石４の固定のため爪５が設けられており、永久磁石４の径方向を規制している。
【００１３】
なお、Ｗ１／Ｗ２を小さくした場合、永久磁石４の固定が不十分となる場合は、その固定に接着剤を併用するとよい。
【００１４】
【発明の効果】
上記の説明から明らかなとおり、ロータの磁極間に爪を設けて磁石量を減らしても、突起の幅Ｗ１は永久磁石の幅Ｗ２との関係において、０．０３＜Ｗ１／Ｗ２＜０．２とすることで磁石量も削減しても、トルク低下の起こらない高出力の永久磁石同期モータとすることができる。
【００１５】
また、ロータの磁極間を爪形状にすることにより、磁石を機械保持できる。
【図面の簡単な説明】
【図１】本発明のアウターロータ型のロータを示す図
【図２】本発明のアウターロータ型のロータ要部拡大図
【符号の説明】
１  ロータ
２  ロータコア
３  突起
４  永久磁石
５  爪
【図１】
2004357470.tif 000003
【図２】
2004357470.tif 000004
(57)【要約】【課題】振動による渡り線外れおよび外被の樹脂成形圧による渡り線外れを、インシュレータ形状のみにて防止することができる信頼性の高い電動機を提供することを目的とする。【解決手段】外周に複数の歯部およびスロット部が形成された固定子コア１と、この固定子コア１に嵌合されて固定子コア１を絶縁するインシュレータ２および３と、インシュレータ２および３にて絶縁された歯部に直に巻装された複数相のを備え、かつ複数相の巻線４における巻線４間を繋ぐ渡り線７からなる固定子を有する電動機において、インシュレータ３の前記壁に、同相の巻線４を結ぶ渡り線７にテンション力を付与する複数の角部を設けたものである。【選択図】  図１
2004357471.tif 000002
【特許請求の範囲】
【請求項１】
外周に複数の歯部およびスロット部が形成されたコアと、このコアに嵌合されて前記コアを絶縁するインシュレータと、前記インシュレータにて絶縁された前記歯部に直に巻装された複数相の巻線を備え、かつ前記複数相の巻線における巻線間を繋ぐ渡り線からなる固定子を有する電動機において、
前記インシュレータの前記巻線間を繋ぐ渡り線を導く円筒型ガイド壁に複数の角部を設けたことを特徴とする電動機。
【請求項２】
インシュレータの巻線間を繋ぐ渡り線を導く円筒型ガイド壁に、スロット数に等しい数の直線部を設けることで多角形形状を形成したことを特徴とする請求項１に記載の電動機。
【請求項３】
電動機の外被を樹脂にて成形したことを特徴とする請求項１または請求項２に記載の電動機。
【発明の詳細な説明】
【０００１】
【発明の属する技術分野】
本発明は、電動機の、特にアウターロータ型巻線において、直に巻装される巻線間を繋ぐために発生する渡り線の保持に関するものである。
【０００２】
【従来の技術】
従来、電動機の渡り線は、コアに絶縁のためのインシュレータが嵌合され、
のインシュレータの巻線を保持する内壁および外壁の円弧に沿って引き回すものが一般であり、本特願のような円弧部に突起部を設けたものであった（例えば、特許文献１参照）。
【０００３】
【特許文献１】
特開２００１−２１８４０９号公報
【０００４】
【発明が解決しようとする課題】
各相スロットの巻線を連結する渡り線が、振動にて動いて損傷しレアショートを発生する。
【０００５】
外被の樹脂成形時の樹脂圧にて壁より外れて樹脂部より露出する。
前記では、円弧部に突起を設けることにより解決しているが、引き回しが複雑になり設備の複雑化、および製造工数の増加などの問題があった。
【０００６】
本発明は、振動による渡り線外れおよび外被の樹脂成形圧による渡り線外れを、インシュレータ形状のみにて防止することができる信頼性の高い電動機を提供することを目的とする。
【０００７】
【課題を解決するための手段】
上記を解決するために本発明の電動機は、外周に複数の歯部およびスロット部が形成されたコアと、このコアに嵌合されて前記コアを絶縁するインシュレータと、前記インシュレータにて絶縁された前記歯部に直に巻装された複数相の巻線を備え、かつ前記複数相の巻線における巻線間を繋ぐ渡り線を有する電動機において、前記インシュレータの前記壁に、同相の巻線を結ぶ渡り線にテンション力を付与する複数の角部を設けたものであり、最低１ヶ所はテンション力にて角部に倣って保持されることにより角部にテンション応力が集約され確実に固定することが可能になった作用がある。
【０００８】
【発明の実施の形態】
請求項１に記載の発明は、外周に複数の歯部およびスロット部が形成されたコアと、このコアに嵌合されて前記コアを絶縁するインシュレータと、前記インシュレータにて絶縁された前記歯部に直に巻装された複数相の巻線を備え、かつ前記複数相の巻線における巻線間を繋ぐ渡り線からなる固定子を有する電動機において、前記インシュレータの前記巻線間を繋ぐ渡り線を導く円筒型ガイド壁に複数の角部を設けたことを特徴とする電動機であり、最低１ヶ所はテンション力にて角部に倣って保持されることにより角部にテンション応力が集約され確実に固定することが可能になった作用を有する。
【０００９】
請求項２に記載の発明は、インシュレータの巻線間を繋ぐ渡り線を導く円筒型ガイド壁に、スロット数に等しい数の直線部を設けることで多角形形状を形成したことを特徴とする請求項１に記載の電動機であり、各渡り線が直線部に倣って、最低１ヶ所はテンション力にて角部にて保持・固定することが可能になった作用を有する。
【００１０】
請求項３に記載の発明は、電動機の外被を樹脂にて成形したことを特徴とする請求項１または請求項２に記載の電動機であって、外皮を樹脂にて成形するとしても渡り線が保持・固定されることが可能になった作用を有し、また樹脂成形後は渡り線が完全に樹脂にて固定されることを可能にした作用を有する。
【００１１】
【実施例】
以下、本発明の実施例について図１から図４を用いて説明する。
【００１２】
電動機は、外周に複数の歯部およびスロット部が形成された固定子コア１と、この固定子コア１に嵌合されて固定子コア１を絶縁するインシュレータ２および３と、インシュレータ２および３にて絶縁された前記歯部に直に巻装された複数相の巻線４を備え、かつ複数相の巻線４における巻線４間を繋ぐ渡り線７を有している。
【００１３】
積層鉄板からなる固定子コア１の両端面にインシュレータ２とインシュレータ３を嵌合させる。インシュレータの弧の字部に巻線４を施し、インシュレータ２側には結線を施し、インシュレータ３側は渡り線が集約される。
【００１４】
図２のように、インシュレータ３は、渡り線７を保持する内壁の外径に、直線部５と角部６を交互に配置した形状としている。すなわち、渡り線７を引き回している壁の外径円弧部にスロット数に等しい数の直線部５を設け角部６と直線部５のつなぎを滑らかなＲにてつないだ多角形形状を形成している。
【００１５】
図３のように、同相の巻線が２スロットとびに施されるため渡り線も２スロット分を渡るが、本インシュレータ３の内壁外径の直線部５に倣い、角部６に集約されたテンション応力がかかることにより渡り線の外れ防止を可能にしている。
【００１６】
【発明の効果】
以上の説明から明らかなように、本願発明によれば、渡り線にテンション応力を作用させることが可能であるため、振動による渡り線外れおよび外被の樹脂成形圧による渡り線外れを、インシュレータ形状のみにて防止することが実現できる。
【図面の簡単な説明】
【図１】本発明の固定子を示す図
【図２】本発明のインシュレータを示す図
【図３】本発明の固定子における渡り線を示す図
【符号の説明】
１  固定子コア
２、３  インシュレータ
４  巻線
５  直線部
６  角部
７  渡り線
【図１】
2004357471.tif 000003
【図２】
2004357471.tif 000004
【図３】
2004357471.tif 000005
(57)【要約】【課題】本発明は受電用遮断器の点検・修理の際にケーブルの停止期間を短くし、安全に受電用遮断器の点検・修理が実施できるガス絶縁開閉装置を提供することを課題とする。【解決手段】本発明のガス絶縁開閉装置は、絶縁ガスを封入したタンク内に収納され、ケーブルを介して電力の供給を受けている受電用遮断器の修理・点検時に前記ケーブルが取付けられるケーブル仮置き設備を備えていることを特徴とし、これにより、作業開始前後のケーブルの着脱作業時間のみのケーブル停止時間となり、ケーブル停止時間が大幅に短縮できる。【選択図】  図２
2004357402.tif 000002
【特許請求の範囲】
【請求項１】
絶縁ガスを封入したタンク内に受電用遮断器及び受電用断路器を収納してなり、これらがケーブルを介して電力の供給を受けているガス絶縁開閉装置において、
前記受電用遮断器の修理・点検時に前記ケーブルが取付けられるケーブル仮置き設備を備えていることを特徴とするガス絶縁開閉装置。
【請求項２】
前記ケーブル仮置き設備に、前記ケーブルが電圧課電状態で取付けられていることを特徴とする請求項１記載のガス絶縁開閉装置。
【請求項３】
前記受電用遮断器及び受電用断路器は、前記タンクの同一ガス区画内に収納されていることを特徴とする請求項１記載のガス絶縁開閉装置。
【請求項４】
前記ケーブル仮置き設備は、絶縁物で構成されていることを特徴とする請求項１又は２記載のガス絶縁開閉装置。
【請求項５】
前記ケーブル仮置き設備は、絶縁媒体を密封した容器で構成されていることを特徴とする請求項１又は２記載のガス絶縁開閉装置。
【発明の詳細な説明】
【０００１】
【発明の属する技術分野】
本発明はガス絶縁開閉装置に係り、特に、電力会社あるいは発電所等からケーブルによって電力の供給を受けている民需用に好適なガス絶縁開閉装置に関する。
【０００２】
【従来の技術】
一般に、民需用のガス絶縁開閉装置において電力の供給を受けているケーブルは、電力供給側の財産であり、この系統には、多数の需要家が繋がっている。このため、一般需要家の突発的な点検・修理によって長時間の停電がとれない場合が多い。
【０００３】
【特許文献１】
特開平５−１１１１１３号公報
【０００４】
【発明が解決しようとする課題】
特に、ＳＦ６  ガスが封入されているタンク内に収納されている受電用遮断器を点検・修理する際に、受電用遮断器と受電用断路器のガス区画が別になっている場合には、ケーブルの停止無しに点検・修理を実施できるが、コストダウン及び機器の縮小化のニーズに対応して、受電用遮断器と受電用断路器が同一のガス区画内に収納されていると受電用遮断器の点検・修理のためにケーブルの停止が必要となり、点検・修理の完了までにケーブルが長時間停止されてしまう問題があった。
【０００５】
本発明は上述の点に鑑みなされたもので、その目的とするところは、受電用遮断器の点検・修理の際にケーブルの停止期間を短くし、安全に受電用遮断器の点検・修理が実施できるガス絶縁開閉装置を提供するにある。
【０００６】
【課題を解決するための手段】
本発明のガス絶縁開閉装置は、上記目的を達成するために、絶縁ガスを封入したタンク内に収納され、ケーブルを介して電力の供給を受けている受電用遮断器の修理・点検時に前記ケーブルが取付けられるケーブル仮置き設備を備えていることを特徴とする。
【０００７】
【発明の実施の形態】
以下、図示した実施例に基づいて本発明のガス絶縁開閉装置を説明する。
【０００８】
図１，図２、及び図３には本発明の一実施例であるガス絶縁開閉装置が示されている。該図において、１は絶縁ガスであるＳＦ６  ガスが封入されているタンクで、このタンク１内には通電導体２，受電用遮断器３，受電用断路器４が収納されると共に、通電導体２を支持する複数の絶縁スペーサ５でタンク１内を複数にガス区画している。また、受電用遮断器３と受電用断路器４が同一のガス区画内に設置されており、これらに電力会社あるいは発電所等からの電力がケーブルヘッド部６に接続されたケーブル７を介して供給されている。
【０００９】
そして、本実施例では、上述したケーブルヘッド部６にエポキシモールド等の絶縁物からなるケーブル仮置き設備８をケーブルヘッド部６と一体に設けている。
【００１０】
このような構成において、受電用遮断器３の点検・修理の際には、先ず一旦ケーブル７をケーブルヘッド部６から取り外し、この取り外したケーブル７をケーブル仮置き設備８に電圧課電状態で取付けることで仮復旧する。この状態で受電用遮断器３の点検・修理を行い、受電用遮断器３の点検・修理が終了した時点でケーブル仮置き設備８からケーブル７を取り外し、取り外したケーブル７を正規の主回路のケーブルヘッド部６に取付けることで正規の復旧が可能となる。
【００１１】
従って、上述した実施例では、受電用遮断器の点検・修理時に作業開始前後のケーブルの着脱作業時間のみのケーブル停止時間となり、作業開始から終了までケーブル停止が必要であった従来と比較して、ケーブル停止時間が大幅に短縮できるし、安全に作業が行える。
【００１２】
次に、本発明の他の実施例を図４，図５、及び図６を用いて説明する。該図に示す実施例が上述した実施例と異なる点は、ケーブルヘッド部６の近傍に固体，液体、或いは気体からなる絶縁媒体が封入された容器９を設けてケーブル仮置き設備としている点である。その他の構成は上述した実施例と同様である。容器９へのガス封入は、通常運転時からガスを封入しておく方法と緊急時に封入する方法の何れでも対応できる。
【００１３】
本実施例の構成でも、ケーブルヘッド部６に設けた上述の例と同様に受電用遮断器３の点検・修理時に一旦ケーブル７を取り外し、ケーブル仮置き設備である容器９に取付けてケーブル７を仮復旧し、作業終了時に再度容器９から正規の主回路にケーブル７を取付けることで正規の復旧が可能となる。
【００１４】
このような本実施例であっても、その効果は上述した実施例と同様である。尚、本実施例では、ケーブル仮置き設備である容器内へ固体，液体、或いは気体からなる絶縁媒体を封入した例について説明したが、エポキシモールドで対応することも可能である。
【００１５】
【発明の効果】
以上説明した本発明のガス絶縁開閉装置によれば、受電用遮断器の点検・修理の際にケーブルの停止期間を短くし、安全に受電用遮断器の点検・修理が実施できるので、此の種ガス絶縁開閉装置には有効である。
【図面の簡単な説明】
【図１】本発明のガス絶縁開閉装置の一実施例を示すガス区画図である。
【図２】本発明のガス絶縁開閉装置の一実施例を示す断面図である。
【図３】図２の側面図である。
【図４】本発明のガス絶縁開閉装置の他の実施例を示すガス区画図である。
【図５】本発明のガス絶縁開閉装置の他の実施例を示す断面図である。
【図６】図５の側面図である。
【符号の説明】
１…タンク、２…通電導体、３…受電用遮断器、４…受電用断路器、５…絶縁スペーサ、６…ケーブルヘッド部、７…ケーブル、８…ケーブル仮置き設備、９…容器。
【図１】
2004357402.tif 000003
【図２】
2004357402.tif 000004
【図３】
2004357402.tif 000005
【図４】
2004357402.tif 000006
【図５】
2004357402.tif 000007
【図６】
2004357402.tif 000008
(57)【要約】【課題】本発明は従来とほぼ同等の機器の大きさを保ち、かつ、ＳＦ６  ガス量を低減することのできるガス絶縁開閉装置を提供することを課題とする。【解決手段】本発明は、絶縁ガスを封入した容器内に母線，遮断器及び断路器を収納してなると共に、前記容器内を絶縁スペーサにて母線区画部，遮断器区画部及び断路器区画部に分割し、かつ前記絶縁ガスとしてＳＦ６  （六弗化硫黄）ガスと他の絶縁ガスとの混合ガスを用い、該混合ガスの比率を前記各区画部毎に変えたことを特徴とする。【選択図】  図１
2004357401.tif 000002
【特許請求の範囲】
【請求項１】
絶縁ガスを封入した容器内に母線，遮断器及び断路器を収納してなると共に、前記容器内を絶縁スペーサにて母線区画部，遮断器区画部及び断路器区画部に分割してなるガス絶縁開閉装置において、
前記絶縁ガスとしてＳＦ６  （六弗化硫黄）ガスと他の絶縁ガスとの混合ガスを用い、該混合ガスの比率を前記各区画部毎に変えたことを特徴とするガス絶縁開閉装置。
【請求項２】
前記遮断器区画部のＳＦ６  ガスの封入割合を５０〜１００％、前記断路器区画部のＳＦ６  ガスの封入割合を０〜５０％、前記母線区画部のＳＦ６  ガスの封入割合を０〜３０％としたことを特徴とする請求項１記載のガス絶縁開閉装置。
【請求項３】
前記ＳＦ６  ガス以外の他の絶縁ガスとして窒素ガスあるいは乾燥空気を用いたことを特徴とする請求項１又は２記載のガス絶縁開閉装置。
【請求項４】
前記各区画部のガス圧力は全て同一であることを特徴とする請求項１，２又は３記載のガス絶縁開閉装置。
【発明の詳細な説明】
【０００１】
【発明の属する技術分野】
本発明はガス絶縁開閉装置に係り、特に、地球温暖化対策に対応した環境調和型に好適なガス絶縁開閉装置に関する。
【０００２】
【従来の技術】
ガス絶縁開閉装置に絶縁ガスとして用いられているＳＦ６  ガスは、他の絶縁ガスと比較して絶縁性能・消弧性能が非常に優れており、このＳＦ６  ガスを媒体としたガス絶縁開閉装置は、全世界に普及している。
【０００３】
一方、ＳＦ６  ガスは地球温暖化防止の観点から排出規制ガスとして指定されており、各所において代替ガスの研究が行われているが、ＳＦ６  ガスと同等かそれ以上の性能を有する代替ガスは発見されていない。そこで、ＳＦ６  ガスの代わりに窒素ガスあるいは乾燥空気を用いることが検討されている。
【０００４】
【特許文献１】
特開平１１−２７５７２０号公報
【０００５】
【発明が解決しようとする課題】
しかしながら、ＳＦ６  ガスの代わりに窒素ガスあるいは乾燥空気を用いても、遮断器，断路器等の基本性能を満足できない場合があり、また、従来と比較して機器が大きくなるため、スペースやコストを考えるとあまり効率的でなかった。
【０００６】
本発明は上述の点に鑑みなされたもので、その目的とするところは、従来とほぼ同等の機器の大きさを保ち、かつ、ＳＦ６  ガス量を低減することのできるガス絶縁開閉装置を提供するにある。
【０００７】
【課題を解決するための手段】
本発明のガス絶縁開閉装置は、上記目的を達成するために、絶縁ガスを封入した容器内に母線，遮断器及び断路器を収納してなると共に、前記容器内を絶縁スペーサにて母線区画部，遮断器区画部及び断路器区画部に分割し、かつ前記絶縁ガスとしてＳＦ６  （六弗化硫黄）ガスと他の絶縁ガスとの混合ガスを用い、該混合ガスの比率を前記各区画部毎に変えたことを特徴とする。
【０００８】
具体的には、前記遮断器区画部のＳＦ６  ガスの封入割合を５０〜１００％、前記断路器区画部のＳＦ６  ガスの封入割合を０〜５０％、前記母線区画部のＳＦ６  ガスの封入割合を０〜３０％としたことを特徴とする。
【０００９】
【発明の実施の形態】
以下、図示した実施例に基づいて本発明のガス絶縁開閉装置を説明する。
【００１０】
図１に本発明の一実施例であるガス絶縁開閉装置のガス系統を示す。該図において、１は絶縁ガスであるＳＦ６  ガスと窒素ガスとの混合ガスが封入された容器で、この容器１内には母線２，遮断器３，三位置形接地開閉器付断路器４，避雷器５，三位置形断路機能付接地開閉器６が収納されると共に、母線２を支持する複数の絶縁スペーサ７で母線２を区画する母線区画部８，遮断器３を区画する遮断器区画部９，少なくとも三位置形接地開閉器付断路器４を区画する断路器区画部１０に分割している。なお、１１は変圧器、１２は計器用変流変圧器である。
【００１１】
そして、本実施例では、絶縁ガスとしてＳＦ６  ガスと窒素ガスとの混合ガスを使用しているが、母線区画部８，遮断器区画部９，断路器区画部１０ごとに要求される性能によって混合ガスの混合比を変えている。つまり、遮断器区画部９については、遮断性能・絶縁性能を満足させるためにＳＦ６  ガスの割合を５０〜１００％、断路器区画部１０はＳＦ６  ガスの割合を０〜５０％、母線区画部８はＳＦ６  ガスの割合を０〜３０％となるように封入している。そのときのガス圧力は、全ての区画部において０．３〜０．７ＭＰａで同一とする。
【００１２】
このように構成することにより、従来とほぼ同等の機器の大きさで、かつ、
ＳＦ６  ガス量を低減することができる。
【００１３】
本発明は、既にＳＦ６  ガスを絶縁媒体として運用中のガス絶縁開閉装置について、現状の構造のままでメンテナンス時にＳＦ６ガスから代替ガスを封入しＳＦ６ガス量を低減させることも可能である。
【００１４】
この場合には、ＳＦ６  ガスを絶縁媒体として設計しているため、容器強度との整合性を保つことから、各区画部のガス圧力は既設と同一とする。また、ＳＦ６  ガスの混合割合は、上述した実施例と同様に、遮断器区画部９はＳＦ６  ガスの割合を５０〜１００％、断路器区画部１０はＳＦ６  ガスの割合を０〜５０％、母線区画部８はＳＦ６  ガスの割合を０〜３０％となるように封入している。
【００１５】
尚、上述の実施例では、ＳＦ６  ガスとの混合ガスとして窒素ガスを用いた例について説明したが、窒素ガスに代えて乾燥空気を用いても同様である。
【００１６】
【発明の効果】
以上説明した本発明のガス絶縁開閉装置によれば、従来とほぼ同等の機器の大きさを保ち、かつ、ＳＦ６  ガス量を低減することができ、此の種ガス絶縁開閉装置には有効である。
【図面の簡単な説明】
【図１】本発明の一実施例であるガス絶縁開閉装置のガス系統を示す図である。
【符号の説明】
１…容器、２…母線、３…遮断器、４…三位置形接地開閉器付断路器、５…避雷器、６…三位置形断路機能付接地開閉器、７…絶縁スペーサ、８…母線区画部、９…遮断器区画部、１０…断路器区画部。
【図１】
2004357401.tif 000003
(57)【要約】【課題】留め具を設けていない通常のスリッパ及びサンダルに対して、即座に容易に着脱できる中敷を提供して、汚れやすく洗いにくい、スリッパ及びサンダル本体を洗わず、この中敷を頻繁に着脱して洗浄し、スリッパ及びサンダルの内底を常に清潔にする。【解決手段】適当な資材で形成した中敷（１）の前半を、スリッパ及びサンダルの足の甲覆い部分（２）に挿入して内底（５）に重ね載せ、中敷（１）の左右側縁が、スリッパ及びサンダルの足の甲覆い部分（２）を立ち上らせた左右側縁（６）に接する位置に、金属や合成樹脂の弾力を利用して挟むように形成したピン（３）を取着する。【選択図】      図１
2004357970.tif 000002
【特許請求の範囲】
【請求項１】
中敷（１）を、スリッパ及びサンダルの内底（５）に重ね載せ、その中敷（１）の側縁が、スリッパ及びサンダルの、足の甲覆い部分を立ち上らせた左右側縁に接する位置（６）に、金属や合成樹脂の弾力を利用して挟むように形成したピン（３）を取着した、スリッパ及びサンダルの中敷。
【発明の詳細な説明】
【０００１】
【発明の属する技術分野】
この発明は、通常のスリッパ及びサンダルに、即座に着脱できる中敷に関するものである。
【０００２】
【従来の技術】
従来、汚れやすいスリッパの内底を清潔にするため、着脱自在の中敷を設けて、この中敷を取り替えたり洗ったりすることが考えられているが、その着脱の方法としては、中敷の裏面とスリッパの内底に一対の面ファスナーを設けて、両方を対応させて着脱する方法、また、弱粘着剤を塗布して剥離紙を設けた中敷をスリッパに貼着する方法、また、中敷の縦中間位置の左右側縁に伸縮帯を掛け渡して、スリッパの後半をこの伸縮帯にくぐらせて取着する方法があった。
【０００３】
【発明が解決しようとする課題】
従来の、中敷を面ファスナーによってスリッパの内底に着脱する方法は、中敷の裏面に取着した面ファスナーの一方に対応する他方の面ファスナーを、内底に付設していないスリッパには取着することができなかった。
【０００４】
また、中敷に弱粘着剤を塗布して剥離紙を設ける方法は、紙の材質で使い捨てにする中敷に適合するが、同じ中敷を頻繁に着脱して洗浄する場合には、粘着剤は粘着力を失うので適合できず、また、中敷の縦中間位置の左右側縁に伸縮帯を掛け渡して、スリッパ後半を、この伸縮帯にくぐらせて取着する方法は、伸縮帯がスリッパの外底に踏まれて非常に汚れ、また、中敷は、ずれたり脱落したりしやすかった。
【０００５】
本発明は、上述の欠点を除いて、内底に面ファスナーの一方を付設していない通常のスリッパ及びサンダルに、即座に中敷を固定して取着し、使用中ずれたり脱落したりすることなく、容易に着脱して頻繁に洗浄し、汚れやすいスリッパ及びサンダルの内底を、常に清潔にする中敷を提供することを目的としている。
【０００６】
【課題を解決するための手段】
上記目的を達成するために、本発明のスリッパ及びサンダルの中敷においては、適当な資材で形成した中敷の前半部分を、スリッパ及びサンダルの足の甲覆い部分に挿入して内底に重ね載せ、その中敷の左右側縁が、スリッパ及びサンダルの足の甲覆い部分を立ち上らせた左右側縁に接する位置に、金属や合成樹脂の弾力を利用して挟むように形成したピンを設け、このピンで、足の甲覆い部分の左右側縁を挟むことによって、中敷をスリッパ及びサンダルの内底に固定するように取着し、着脱自在にしたものである。
【０００７】
【発明の実施の形態】
発明の実施の形態を、実施例にもとづき図面を参照して説明する。
（１）は、スリッパの内底（５）に重ね載せるように形成した中敷である。
【０００８】
その中敷（１）の前半を、スリッパの足の甲覆い部分（２）に挿入して内底（５）に重ね載せ、その中敷（１）の左右側縁が、足の甲覆い部分（２）を立ち上らせた左右側縁（６）に接する位置に、金属や合成樹脂の弾力を利用して挟むように形成したピン（３）を取着している。（４）は、中敷（１）の側縁にピン（３）を取着する部分である。
【０００９】
したがって、この中敷（１）は夏用としては清涼感があり、冬用としては保温性があり、足触りよく、洗浄にもよく耐え得る材質を用いることが好ましい。
【００１０】
また、健康増進の目的に添う形状にできることは勿論である。
【００１１】
そして、草履の形状にしたサンダルの場合は、左右側縁の鼻緒の付根部分を、ピン（３）で挟むことによって、この中敷を取着することができる。
【００１２】
文中、スリッパと記載した部分は、その形状及び使用目的において、ほぼサンダルと同一であり、したがって、スリッパとサンダルを分けたものではなく、同一として記載している。
【００１３】
【発明の効果】
本発明は、以上説明したように構成されているので、以下に記載されるような効果を奏する。
スリッパ及びサンダルの足の甲覆い部分に、この中敷の前半を挿入して内底に重ね載せ、中敷の左右側縁に設けたピンで、スリッパ及びサンダルの足の甲覆い部分を立ち上らせた左右側縁を挟んで取着すると、中敷は、スリッパ及びサンダルの内底に固定して取着され、ずれたり脱落することなく、また、容易に取り外し頻繁に洗浄して、内底を常に清潔にすることができる。
【００１４】
したがって、内底に留め具の一方を設けていない通常の市販のスリッパに、即座に自由に着脱して使用することができる。
【００１５】
さらに、不特定多数の人が集まる場所に常備されたスリッパに対しても、この中敷を携帯し取着して使用することが可能であり、清潔感と安心感を得ることができる。
【図面の簡単な説明】
【図１】中敷の平面斜視図である。
【図２】中敷をスリッパに取着した状態を示す平面斜視図である。
【符号の説明】
１  中敷
２  足の甲覆い部分
３  ピン
４  ピンを取着する部分
５  スリッパの内底
６  足の甲覆い部分を立ち上らせた左右側縁
【図１】
2004357970.tif 000003
【図２】
2004357970.tif 000004
(57)【要約】【課題】生産しやすく、しかも、指先部分を指先の動きに追従させて変形でき、靴の中敷きや内面、及び表面全域を洗え、安全性を向上する靴用ブラシを開発すること。【解決手段】ミトンからなる手袋（１）の親指の付け根部分よりも上側全域にブラシ（２）となる毛（３）を静電植毛加工によって植え付けてあることを特徴とする靴用ブラシ。手袋（１）の手の平面側の毛（３）は、指先側から親指の付け根側に向かって次第に長くしてあることを特徴とする。【選択図】      図１
2004357993.tif 000002
【特許請求の範囲】
【請求項１】
ミトンからなる手袋（１）の親指の付け根部分よりも上側全域にブラシ（２）となる毛（３）を静電植毛加工によって植え付けてあることを特徴とする靴用ブラシ。
【請求項２】
手袋（１）の手の平面側の毛（３）は、指先側から親指の付け根側に向かって次第に長くしてあることを特徴とする請求項１記載の靴用ブラシ。
【発明の詳細な説明】
【０００１】
【発明の属する技術分野】
本発明は靴の中の先端部分だけでなく、靴の中敷きや内面、表面側を洗うのに適している靴用ブラシに関する。
【０００２】
【従来の技術】
従来の靴用ブラシとしては、親指以外の手指を少なくとも覆う指先被覆体の指先部分に沿ってブラシを接着し、ブラシは変形自在な芯材を指先部分に沿って湾曲すると共に、芯材を中心にして多数本の毛を放射状に突出したものが知られている（例えば、特許文献１参照。）。
【０００３】
【特許文献１】
特開２００３−３１９６２９号公報
【０００４】
【発明が解決しようとする課題】
しかし、ブラシは芯材を中心に放射状に毛が突出した形態であるため、放射状に突き出した毛を指先部分に接着することは難しく、生産し難かった。また、芯材が硬いため指先部分が思うように変形せず、小さい靴の中に、上述した靴用ブラシが入らなかった。さらに、靴を洗う場合は、通常、靴の中敷きや内面及び表面全域を洗うが、上述した従来品はブラシが指先部分にしか付いてないため、中敷きや、内面、さらには、靴の表面を洗うには、適さない。その上、芯材が硬いため、ブラシの両端部から芯材が突き出た部分では、ワッカ状に丸める等の処理をして怪我をしないように配慮する必要があった。
【０００５】
本発明は上記実情を考慮して創作されたもので、生産しやすく、指先部分を指先の動きに追従させて変形でき、靴の中敷きや内面、及び表面全域を洗え、その上、安全性を高めるようにすることを解決課題とする。
【０００６】
【課題を解決するための手段】
請求項１の発明は、ミトンからなる手袋の親指の付け根部分よりも上側全域にブラシとなる毛を静電植毛加工によって植え付けてあることを特徴とする靴用ブラシである。
【０００７】
親指の付け根よりも上側全域であれば、指先部分、手の平面、手の甲面、側面の全ての面に毛が植え付けてある。指先部分のブラシは、靴の中の先端部分を洗うことに適している。手の平面側のブラシは、親指の付け根部分よりも上側全域に設けてあるので、ブラシの領域が広く、靴の表面、中敷き、内面を洗うのに適している。特に、靴の表面のつま先よりの内側部分は上下方向に緩やかに湾曲しているので比較的洗いにくいが、本発明の靴用ブラシの手袋に手を入れて手指を軽く曲げ、靴表面のつま先よりの内側部分を包みこむように手を添えれば、その内側部分の全域に手の平面側のブラシが当たるので、洗いやすい。
【０００８】
手袋にミトンを用いたのは、親指以外の四本の指がまとまって入るため、手の平の指に相当する部分の平面が保たれることになり、軍手のような指が一本ずつ入る手袋に比べると、洗いやすくなるからである。
【０００９】
手の平面側の毛は、全てを同じ長さに揃えても良いが、靴の中敷きの先部分を洗うには、請求項２の発明のように、手袋の手の平面側の毛は、指先側から親指の付け根側に向かって次第に長くしてあることが望ましい。
【００１０】
【発明の実施の形態】
本発明の靴用ブラシは静電植毛加工を利用して生産するもので、図１に示すように、ミトンの手袋１にブラシ２となる毛３を静電植毛加工によって植え付けてある。毛を植え付ける領域は、親指の付け根部分よりも上側全域である。即ち、手の平面、手の甲面、及び手の側面のそれぞれの親指の付け根部分よりも上側部分並びに、指先部分である。そして、毛３は親指の付け根部分よりも上側全域に亘って均等なピッチで植え付けてある。
【００１１】
手袋１の素材は限定されないが、合成ゴムなどの非透水性素材を用いれば、手や指を濡らさずに洗えるので、指がかじかむ時期には特に有用である。また、手袋１の手首部分には、弾力性のある手首締め付け部４を形成してあり、手袋１を脱げにくくしてある。
【００１２】
指先部分、手の甲面、手の側面のブラシ２を構成する毛３の長さは、同じ長さに揃えてある。一方、手の平面のブラシ２を構成する毛３の長さは、指先から手首側に向かって次第に長くしてある。従って、図２、図３に示すように、靴用ブラシの手袋１をはめて、手の平が中敷き５の方を向くようにして靴６の中の先端部分に指先を押し付けると、指先部分のブラシ２が靴６の中の先端部分に当たり、手の甲面のブラシ２が靴６の内面上側に、手の側面のブラシ２が靴の内面内側又は内面外側にそれぞれ当たり、その上、手の平面のブラシ２が中敷き５の先部に当たることになり、靴６の中を洗いやすい。また、靴６の中に手を入れて中敷き５の先部を洗う際に、中敷き５の面に対して指先側が下がる状態に手の平を傾けていても、手の平面側のブラシ２は毛３を指先側から親指の付け根側に向かって徐々に長くしてあるので、中敷き５に手の平面側のブラシ２が均一に当たることになり、靴６の中を効率良く洗える。なお、靴６の中に入れた手の平を中敷き５の面に沿わせるように（平行に）手首を深く曲げることは、身体的に通常難しい。
【００１３】
静電植毛加工は、手袋１に予め接着剤７を塗っておき、毛３の端部を静電気の力で接着剤７に植え付ける技術である。
【００１４】
ブラシ２となる毛３は、豚毛程度にこしが強い剛毛を用いる。毛の長さは、現時点で静電植毛加工できる長さの限界が１ｃｍであるので、それ以下とする。
【００１５】
【発明の効果】
請求項１の発明はブラシとなる毛を静電植毛加工によって植え付けるので、生産しやすい。また、毛が手袋に付いていて、従来のような芯材がないので、安全であり、しかも、指先の動きに手袋が追従して変形でき、小さな靴の中を洗うこともできる。さらに、手袋の親指の付け根部分よりも上側全域という広い領域にブラシとなる毛が付いているので、靴の中敷きや内面、表面を効率よく洗うこともできる。
【００１６】
請求項２の発明は、手の平面側の毛が指先側から親指の付け根部分側に向かって長くなっているので、靴の中敷き面に対して指先が下がる状態で手を入れた場合でも、中敷きに手の平面側のブラシが均一に当たることになり、靴の中敷きの先部を洗いやすい。
【図面の簡単な説明】
【図１】（イ）（ロ）本発明の靴用ブラシを示す正面図、Ａ−Ａ線拡大断面図である。
【図２】靴の中を洗う状態を示す縦断面図である。
【図３】靴の中の先部を洗う状態を示す横断面図である。
【符号の説明】
１  手袋
２  ブラシ
３  毛
【図１】
2004357993.tif 000003
【図２】
2004357993.tif 000004
【図３】
2004357993.tif 000005
(57)【要約】【課題】ドライフルーツを装飾用に仕立てた場合、室温では湿気を帯び形状と色彩を維持する事は難しかった。【解決手段】本発明は、ドライフルーツを装飾用に仕立てた場合や、歯切れの良い食感を得たい場合に有効であり、室温で、形状と色彩の長期間の維持を可能とする技法である。【選択図】          図５
2004357685.tif 000002
【特許請求の範囲】
【請求項１】
果物を薄切りにし、オーブン等で乾燥。乾燥させた薄切りの果物を糖蜜につけ、糖化再結晶させ花の様に装飾を施した固めの菓子を特徴とするドライフルーツの花仕立て、装飾用固菓子。
【請求項２】
砂糖と水同量を沸かし温度計を入れ１０３度〜１０５度の間で火から下ろし、あら熱を取りドライフルーツを浸し余分な糖蜜をとり乾燥、糖化再結晶し固めに仕上がることを特徴とする請求項１に記載のドライフルーツの花仕立て、装飾用固菓子。
【請求項３】
糖蜜につけ余分な糖蜜を取り乾燥。乾燥しながら花の形に装飾を施し更に乾燥、糖蜜の煮詰め温度が適正であるがため、固まるまで装飾が容易であること、乾燥が早く色彩の維持が優れていることを特徴とする請求項１記載のドライフルーツの花仕立て、装飾用固菓子。
【発明の詳細な説明】
【０００１】
【発明の属する技術分野】
本発明は、食品加工及び装飾のための形状及び色彩保持、保存に関する。
【０００２】
【従来の技術】
従来、ドライフルーツだけで花仕立てにすると湿気を帯び、色彩及び形状の維持が難しかった。同様に、温度の高い糖蜜を掛けても湿気を帯び、美観、保持期間が短かった。
【０００３】
【発明が解決しようとする課題】
従来の技法では形状及び色彩維持が難しく、この技法の発明により、形状加工が容易であり、色彩維持、保存が長期に渡り可能である。
【０００４】
【課題を解決するための手段】
ドライフルーツの薄切りが乾燥させる事により固くなりえる事。加工において固くなる時間が数分と長く、自由な形状を形成出来る事。さらに、長期の保存が可能である事。食感が固めで歯切れが良くお菓子としての存在感がある事。
【０００５】
【発明の実施の形態】
発明の実施の形態を図面を参照して説明する。
【０００６】
図１は果物を薄切りにし、オーブン等で乾燥、薄切りドライフルーツの製造を現す実施例図、図２は水と砂糖を約同量鍋に入れ煮詰め、温度計で計り煮詰め温度を１０３度〜１０５度の間で調整する作業の実施例図、図３は糖蜜のあら熱を取り、ドライフルーツの薄切りを浸し乾燥の作業を現す実施例図、図４は糖蜜を浸し乾燥後、固まり始めに装飾を施す作業を現す実施例図、図５は本発明のドライフルーツの花仕立て、装飾用固菓子の正面立体図である。
【実施例】
【０００７】
図１において、下地となる果物、キウイ、オレンジ、パイナップル、メロン等をスライサーで薄切り、薄切り果物をベーキングシートに並べ低温のオーブン等で乾燥。
【０００８】
図２において、水と砂糖を約同量鍋に入れ火にかけ煮詰め、温度計で計り煮詰め温度を１０３度〜１０５度で調整、火を止めあら熱をとる行程。
（一例、５００ｇの水と５００ｇの砂糖）
【０００９】
図３において、あら熱を取った糖蜜に薄切り乾燥果物（ドライフルーツ）を浸し、余分な糖蜜をとり網に並べて乾燥。
【００１０】
図４において、網に並べて数分乾燥後、糖化結晶が始まり固くなる瞬間に曲線を描き装飾を施しながら結着する様子。
【００１１】
図５において、装飾を施し固くなったドライフルーツの花仕立てをバスケットに盛り込みさらに室温で乾燥保存。固さと色彩の保持が可能となった。
【００１２】
【発明の効果】
本発明は、以上説明したように構成されているので、以下に記載されるような効果を奏する。
【００１３】
糖化結晶の現象で乾燥する事により固めに仕上がる為、デリケートな細部の加工、維持が可能となり、より製品の表現力が高くなった。
【００１４】
乾燥から装飾までの時間が調整出来、作業性の向上が図れた。
【００１５】
長期の保存が可能である為、作業上開いている時間を有効に使う事が出来る様になった。
【図面の簡単な説明】
【図１】下地となる果物を薄切りにし、低温のオーブンの中で乾燥させる作業場面を示した図である。
【図２】水と砂糖を鍋で煮詰め温度計を差し、適温の糖蜜に仕上げる作業例を示した図である。
【図３】ドライフルーツを糖蜜に浸し、余分な糖蜜をとり網の上で数分乾燥の準備を表す作業例を示した図である。
【図４】糖化結晶により固まり始め曲線を描き装飾、結着を施す作業例を示した図である。
【図５】ドライフルーツを花仕立てにし、乾燥、装飾を示した正面立体図である。
【符号の説明】
１      オーブン
２      温度計（０度〜２００度まで計れるもの）
３      ステンレス製の網
【図１】
2004357685.tif 000003
【図２】
2004357685.tif 000004
【図３】
2004357685.tif 000005
【図４】
2004357685.tif 000006
【図５】
2004357685.tif 000007